(57)【要約】【課題】指紋照合装置で、ユーザ側管理者でも容易に個人ごとの照合履歴データを知ることができるようにする。【解決手段】指紋読取部１に指を置くと、指紋特徴データ照合処理部６はその指紋データと、登録指紋データとを照合し、照合履歴データ記憶部１０に照合履歴データを記憶する。照合履歴分析データ算出部３０は照合履歴分析データを加工して、照合履歴分析データを算出し、分析データ記憶部３５に記憶し、分析データ表示部３６に表示する。照合履歴分析データは、個人ごとの操作ひん度、平均再照合率、照合一致度、指置安定度、指ずれ量及び特徴点数からなっている。【選択図】　　　　図１
2004054327.tif 000002
【特許請求の範囲】
【請求項１】
指紋読取部に置かれた指の指紋データとあらかじめ登録された指紋データとを照合して、個人ごとの照合履歴データを出力する装置において、上記照合履歴データを加工処理して照合履歴分析データを出力する照合履歴データ処理部を備えたことを特徴とする指紋照合装置。
【請求項２】
照合履歴分析データを加工処理してガイダンスデータを出力するガイダンスデータ処理部を設けたことを特徴とする請求項１記載の指紋照合装置。
【請求項３】
照合履歴データは、照合一致度、指置安定度、指ずれ量及び指紋の特徴点を含むものとしたことを特徴とする請求項１又は請求項２記載の指紋照合装置。
【請求項４】
照合履歴分析データは、照合履歴データに操作ひん度及び平均再照合率を追加したものとしたことを特徴とする請求項１又は請求項２記載の指紋照合装置。
【請求項５】
ガイダンスデータは、照合履歴分析データの照合一致度、指置安定度及び指ずれ量を、それぞれ複数段階に区分して表記したものとしたことを特徴とする請求項２記載の指紋照合装置。
【発明の詳細な説明】
【０００１】
【発明の属する技術分野】
この発明は、入力された指紋データと登録された指紋データとを照合して照合履歴データを出力する装置に関するものである。
【０００２】
【従来の技術】
図８は従来の指紋照合装置を示す全体構成図で、指紋画像を読み取る指紋読取部１と、照合処理部２と、照合履歴データ表示部１１とで構成されている。
利用者が指紋読取部１に指を置くと指紋画像が読み取られ、指紋の特徴データが抽出される。そして、指紋特徴データ照合処理部６で、上記指紋特徴データと、指紋特徴データ記憶部７に登録された指紋特徴データとが照合処理される。そして、その照合結果は、照合履歴データ記憶部１０に図３に示す照合履歴データ２１として保存され、照合履歴データ表示部１１で専用の操作を実行することにより、上記保存された照合履歴データを読み出して表示する。
【０００３】
【発明が解決しようとする課題】
上記のような従来の指紋照合装置では、照合履歴データ記憶部１０に保存された照合履歴データを専用の操作によって読み出すようになっているため、ユーザ側管理者は照合履歴データを参照することができず、照合ＮＧが頻発している人の特定やその頻度を知ることはできない。また、照合履歴データは時系列順に記憶されており、人別（ＩＤ番号別）の照合状況を見たり、そのデータを分析したりすることは、メーカの一部の経験者でないとできない。そのため、照合ＮＧ頻発者を特定し、指紋の再登録、操作指導を実施するなどの運用改善が容易にはできないという問題点がある。
【０００４】
この発明は上記問題点を解消するためになされたもので、専用の操作をすることなく、容易に照合履歴データを知ることができるようにした指紋照合装置を提供することを目的とする。
【０００５】
【課題を解決するための手段】
この発明の第１発明に係る指紋照合装置は、指紋読取部に置かれた指の指紋データとあらかじめ登録された指紋データとを照合して、個人ごとの照合履歴データを出力する装置において、上記照合履歴データを加工処理して照合履歴分析データを出力する照合履歴データ処理部を備えたものである。
【０００６】
また、第２発明に係る指紋照合装置は、第１発明のものにおいて、照合履歴分析データを加工処理してガイダンスデータを出力するガイダンスデータ処理部を設けたものである。
【０００７】
また、第３発明に係る指紋照合装置は、第１又は第２発明のものにおいて、照合履歴データは、照合一致度、指置安定度、指ずれ量及び指紋の特徴点を含むものである。
【０００８】
また、第４発明に係る指紋照合装置は、第１又は第２発明のものにおいて、照合履歴分析データは、照合履歴データに操作ひん度及び平均再照合率を追加したものとしたことを特徴とするものである。
【０００９】
また、第５発明に係る指紋照合装置は、第２発明のものにおいて、ガイダンスデータは、照合履歴分析データの照合一致度、指置安定度及び指ずれ量を、それぞれ複数段階に区分して表記したものである。
【００１０】
【発明の実施の形態】
実施の形態１．
図１〜図４はこの発明の第１、第３及び第４発明の一実施の形態を示す図で、図１は機能構成図、図２は全体構成図、図３は照合履歴データの内容図、図４は照合履歴分析データの内容図であり、図中同一符号は同一部分を示す。（以下の実施の形態も同じ。）
【００１１】
図１及び図２において、１は指紋画像を読み取る指紋読取部、２は指紋読取部１に接続され、読み取った指紋画像とあらかじめ記録している登録画像とを照合する照合処理部、３は照合処理部２に接続され、照合履歴分析データを算出する照合履歴データ処理部である。
【００１２】
照合処理部２は、画像処理部４、指紋特徴データ抽出部５、指紋特徴データ照合処理部６、指紋特徴データ記憶部７、照合結果表示部８、照合結果データ記憶部９及び照合履歴データ記憶部１０により構成されている。また、照合履歴データ処理部３は、照合履歴分析データ算出部３０、分析データ記憶部３５及び分析データ表示部３６により構成されている。
【００１３】
次に、この実施の形態の動作を図３及び図４を参照して説明する。
利用者が指紋読取部１に指を置くと、指紋画像が読み取られ、画像処理部４で指紋画像が処理され、指紋特徴データ抽出部５で指紋の特徴データ（端点、分岐点など）が算出される。指紋特徴データ照合処理部６では、入力された指紋特徴データと、指紋特徴データ記憶部７に記憶（登録）された指紋特徴データとが照合処理される。そして、その照合結果が照合結果表示部８に表示される。
【００１４】
また、照合結果は照合結果データ記憶部９に転送されて保存されるとともに、照合履歴データ記憶部１０に図３に示す照合履歴データ２１として保存される。この照合履歴データ２１は、照合した日時・時刻データ２２、照合した人を示すＩＤ番号２３、○（照合ＯＫ）又は×（照合ＮＧ）を示す照合結果２４、登録指紋特徴データと照合時の指紋特徴データとの一致した特徴点数の割合を示す照合一致度２５、照合時の指紋画像の明りょう度を示す指置安定度２６、登録時と照合時の指置位置のずれ量を示す指ずれ量２７、及び照合時・登録時の特徴点数２８から構成されている。
【００１５】
次に、照合履歴データ２１は照合履歴分析データ算出部３０で読み込まれ、図４に示す照合履歴分析データ３１が算出される。この照合履歴分析データ３１は、ＩＤ番号２３、一日の操作ひん度３２、１操作当たりＮＧとなる平均再照合率３３、照合一致度２５、指置安定度２６、指ずれ量２７、及び特徴点数２８を有し、それぞれ平均値と偏差値から構成され、平均再照合率３３の大きい順に並べられている。この照合履歴分析データ３１は分析データ記憶部３５へ送出されて保存され、分析データ表示部３６で表示される。
【００１６】
このようにして、照合履歴データ２１を加工して照合履歴分析データ３１を出力するようにしたので、メーカ側のサービス担当者は、照合履歴分析データ３１を参照して、照合ＮＧ頻発者を特定し、指紋の再登録及び操作指導を実施することが容易に可能となる。
【００１７】
実施の形態２．
図５〜図７はこの発明の第２及び第５発明の一実施の形態を示す図で、図５は全体構成図、図６は機能構成図、図７はガイダンスデータの内容図である。なお、図３は実施の形態２にも共用する。
図５及び図６において、４１は照合履歴データ処理部３に接続され、ガイダンスデータを算出するガイダンスデータ処理部であり、ガイダンスデータ算出部４２、ガイダンスデータ記憶部４３及びガイダンスデータ表示部４４により構成されている。これ以外は図１及び図２と同様である。
【００１８】
次に、この実施の形態の動作、特にガイダンスデータ処理部４１の動作を図３及び図７を参照して説明する。
ガイダンスデータ算出部４２では、照合履歴データ処理部３の分析データ記憶部３５から照合履歴分析データ３１を読み込み、図７に示すガイダンスデータ４５を算出する。このガイダンスデータ４５は、ＩＤ番号２３、照合一致度２５を○△×の三段階のレベルに区分して表現した一致レベル４６、指置安定度２６と特徴点数２８を総合的に３段階レベル区分して表現した指紋明瞭度４７及び指ずれ量２７を総合的に３段階レベル区分して表現した指置ずれ量４８から構成され、照合履歴分析データ３１と同じＩＤ番号２３順に並べられている。
【００１９】
このガイダンスデータ４５はガイダンスデータ記憶部４３へ送出されて保存され、ガイダンスデータ表示器４４で表示される。
このようにして、照合履歴分析データ３１の所定項目をそれぞれ複数段階に区分して表記したガイダンスデータ４５を出力するようにしたため、ユーザ側管理者は、ガイダンスデータ４５を参照して、照合ＮＧ頻発者を特定してその原因を知り、指紋の再登録及び操作指導を実施することが容易に可能となる。
【００２０】
【発明の効果】
以上説明したとおりこの発明の第１発明では、照合履歴データを加工処理して照合履歴分析データを出力するようにしたので、メーカ側のサービス担当者は、照合履歴分析データを参照して、照合ＮＧ頻発者を特定し、指紋の再登録及び操作指導を実施することが容易にできる。
【００２１】
また、第２発明では、照合履歴分析データを加工処理してガイダンスデータを出力するようにしたので、ユーザ側管理者は、ガイダンスデータを参照して、照合ＮＧ頻発者を特定し、指紋の再登録及び操作指導を実施することが容易にできる。
【００２２】
また、第３発明では、照合履歴データは、照合一致度、指置安定度、指ずれ量及び指紋の特徴点を含むものとしたので、これを照合履歴分析データに加工するのに必要な事項を得ることができる。
【００２３】
また、第４発明では、照合履歴分析データは、照合履歴データに操作ひん度及び平均再照合率を追加したものとしたので、これをガイダンスデータに加工するのに必要な事項を得ることができる。
【００２４】
また、第５発明では、ガイダンスデータは、照合履歴分析データの照合一致度、指置安定度及び指ずれ量を、それぞれ複数段階に区分して表示したので、ユーザ側管理者は、ガイダンスデータを参照して、照合ＮＧ頻発者を特定してその原因を知り、指紋の再登録及び操作指導を実施することが容易に可能となる。
【図面の簡単な説明】
【図１】この発明の実施の形態１を示す機能構成図。
【図２】この発明の実施の形態１を示す全体構成図。
【図３】この発明の実施の形態１を示す照合履歴データの内容図。
【図４】この発明の実施の形態１を示す照合履歴分析データの内容図。
【図５】この発明の実施の形態２を示す全体構成図。
【図６】この発明の実施の形態２を示す機能構成図。
【図７】この発明の実施の形態２を示すガイダンスデータの内容図。
【図８】従来の指紋照合装置を示す機能構成図。
【符号の説明】
１　指紋読取部、　　２　照合処理部、　　３　照合履歴データ処理部、　　４　画像処理部、　　５　指紋特徴データ抽出部、　　６　指紋特徴データ照合処理部、　　７　指紋特徴データ記憶部、　　１０　照合履歴データ記憶部、　２１　照合履歴データ、　　３０　照合履歴分析データ算出部、　　３１　照合履歴分析データ、　　３５　分析データ記憶部、　　４１　ガイダンスデータ処理部、　　４２　ガイダンスデータ算出部、　　４３　ガイダンスデータ記憶部、　　４５　ガイダンスデータ。
【図１】
2004054327.tif 000003
【図２】
2004054327.tif 000004
【図３】
2004054327.tif 000005
【図４】
2004054327.tif 000006
【図５】
2004054327.tif 000007
【図６】
2004054327.tif 000008
【図７】
2004054327.tif 000009
【図８】
2004054327.tif 000010